(57)【要約】【課題】改修建具に対して、高い防火性能を付与する。【解決手段】  躯体開口部に残存する既設枠に取付補助材を介して新設上枠、新設下枠及び左右の新設竪枠からなる新設枠を取り付けてなり、各新設枠は、見込方向の端部位置に長さ方向全長に亘って加熱発泡材を四周に連続するように設けてあり、各新設枠に配置した加熱発泡材は、火災時に発泡した際に連続して防火ラインを形成する。【選択図】  図１２
2020045642.tif 000002
【特許請求の範囲】
【請求項１】
躯体開口部に残存する既設枠に取付補助材を介して新設上枠、新設下枠及び左右の新設竪枠からなる新設枠を取り付けてなり、
各新設枠は、見込方向の端部位置に長さ方向全長に亘って加熱発泡材を四周に連続するように設けてあり、
各新設枠に配置した加熱発泡材は、火災時に発泡した際に連続して防火ラインを形成する
改修建具。
【発明の詳細な説明】
【技術分野】
【０００１】
本発明は、建物開口部に残存する既設枠の内周に配置される改修建具に関する。
【背景技術】
【０００２】
建物開口部に残存する既設枠の内周に配置される改修建具が公知となっている。
【先行技術文献】
【特許文献】
【０００３】
【特許文献１】特開２００７−１２０２４５号公報
【発明の概要】
【発明が解決しようとする課題】
【０００４】
上記特許文献１に記載された改修建具は、既設の下枠を残存させたまま建具の改修を行うことができるので、施工性が高く、効率的に建具の改修をすることができる。
近年、建具において、防火性能の向上が求められており、改修サッシにおいても、同様に高い防火性能が求められている。
【０００５】
本発明は、改修建具において、高い防火性能を付与することを目的とする。
【課題を解決するための手段】
【０００６】
本発明の一実施形態は、躯体開口部に残存する既設枠に取付補助材を介して新設上枠、新設下枠及び左右の新設竪枠からなる新設枠を取り付けてなり、各新設枠は、見込方向の端部位置に長さ方向全長に亘って加熱発泡材を四周に連続するように設けてあり、各新設枠に配置した加熱発泡材は、火災時に発泡した際に連続して防火ラインを形成する改修建具である。
【発明の効果】
【０００７】
本実施形態の改修建具の構成により、高い防火性能を付与することができる。
【図面の簡単な説明】
【０００８】
【図１】本発明の第１の実施形態に係る改修建具の竪断面図である。
【図２】本発明の第１の実施形態に係る改修建具の横断面図である。
【図３】本発明の第２の実施形態に係る改修建具の竪断面図である。
【図４】本発明の第２の実施形態に係る改修建具の横断面図である。
【図５】本発明の実施形態に係る改修建具の補助部材の様子を示す正面図である。
【図６】本発明の第１の実施形態に係る改修建具の上枠部分の竪断面図である。
【図７】本発明の第１の実施形態に係る改修建具の下枠部分の竪断面図である。
【図８】本発明の第1の実施形態に係る改修建具の竪枠部分の竪断面図である。
【図９】本発明の第２の実施形態に係る改修建具の上枠部分の竪断面図である。
【図１０】本発明の第２の実施形態に係る改修建具の下枠部分の竪断面図である。
【図１１】本発明の第２の実施形態に係る改修建具の竪枠部分の竪断面図である。
【図１２】本発明の実施形態に係る改修建具の上枠と竪枠との連結部分の斜視図である。
【図１３】本発明の実施形態に係る改修建具の下枠と竪枠との連結部分の斜視図である。
【発明を実施するための形態】
【０００９】
本発明の第１の実施形態の改修建具として、図１及び図２に示すように、既設の引違い建具の既設枠１の内周に、新設枠２を装着してなる改修建具を用いて説明する。
【００１０】
−第１の実施形態−
（全体の構成）
本実施形態の改修建具は、図１，図２に示すように、既設上枠１１，既設下枠１２，既設竪枠１３，１３からなる既設枠１を除去せずに、既設枠１の内周に新設上枠２１，新設下枠２２，新設竪枠２３，２３からなる新設枠２が配置されている。
なお、本実施形態の改修建具は、左右の竪枠部分についてその主たる構成がほとんど同様であるので、竪枠部分についての説明は右竪枠を用いて行う。
【００１１】
既設枠１を構成する既設上枠１１，既設下枠１２，既設竪枠１３のそれぞれには上取付補助材３１、下取付補助材３２及び竪取付補助材３３が固定されており、新設枠２は各取付補助材を介して既設枠１に装着されている。
なお、既設枠１は、その全ての部分が除去されずに残存させた状態で取付補助材及び新設枠を装着しても良いが、例えば図１に示す既設下枠１２の室外側下レールが切除されているように、必要に応じて新設枠２を配置するに際して邪魔となる部位が除去されていてもよい。
【００１２】
新設枠２は、左右の新設竪枠２３，２３の上下端部の内周面に新設上枠２１及び新設下枠２２の両端部を突き合わせて組まれており、左右の新設竪枠２３，２３は、新設上枠２１及び新設下枠２２の当接部分において、内周に突出する部材が必要に応じて切欠かれている。
【００１３】
（上枠部分の構成）
既設上枠１１に固定される上取付補助材３１は、見込寸法が既設上枠１１の見込寸法とほぼ同程度の見込寸法を有し、図５に示すように、見付寸法が新設上枠２１の長手方向の長さとほぼ同じ長さ寸法の長尺部材からなる。上取付補助材３１は、新設上枠２１を装着する際の基準となる見込壁部３１ａと、見込壁部３１ａの室内外両端付近より外周方向に延設される室内側固定部３１ｂ及び室外側固定部３１ｃを有している。
【００１４】
そして、見込壁部３１ａが水平となるように見込壁部３１ａの外周側面を既設上枠１１の室内側壁部１１ａ、室外側壁部１１ｂの下端に当接させた状態で、室内側固定部３１ｂ及び室外側固定部３１ｃが既設上枠１１の室内側壁部１１ａの室外側と室外側壁部１１ｂの室内側との間に挿入され、室内側固定部３１ｂが室内側壁部１１ａにビス等の固定手段ｂにより固定され、室外側固定部３１ｃが室外側壁部１１ｂにビス等の固定手段ｂにより固定されている。
【００１５】
新設上枠２１は、既設上枠１１よりも見込寸法が大きく形成されており、見込み方向室内側上面に加熱により膨張する加熱発泡材ｆ１が配置されるとともに、見込み方向の略中央付近において、スペーサー６１を介してビス等の固定手段ｂにより上取付補助材３１の見込壁部３１ａに固定されている。新設上枠２１の室内側下面には、後述する上内部カバー７１を取り付けるための挿入部２１ａを有している。
【００１６】
新設上枠２１は、室外側外周に気密材ｓを有しており、上取付補助材３１を介して既設上枠１１に固定された新設上枠２１の気密材ｓが既設上枠１１の室外側内周に当接して、既設上枠１１と新設上枠２１との室外側における気密を行っている。
【００１７】
新設上枠２１の室内側から既設上枠１１の室内側を覆うように、防水シート８１が設けられるとともに、防水シート８１の室内側には、金属製の上遮炎板９１が配置されている。
【００１８】
上遮炎板９１は、図６（ａ）に示すように、見込み方向に延びる当接部９１ａと、当接部９１ａの室外側端部から見付け方向（下方）に延びる遮炎部９１ｂと、遮炎部９１ｂの下端から室外方向に延設される開き防止部９１ｃと、を有する断面略カギ状の金属製の長尺部材からなる。
【００１９】
そして、上遮炎板９１は、当接部９１ａを躯体開口部の内周面に当接させるとともに遮炎部９１ｂを新設上枠２１の室内側面と既設上枠１１の室内側面に当接させることで、新設上枠２１と既設上枠１１との間の間隙を閉塞するように配置されている。
さらに、上遮炎板９１は、遮炎部９１ｂの下端から室外方向に延設された開き防止部９１ｃが新設上枠２１に室内側面の下端に続く内周面に当接されており、遮炎部９１ｂの上方部分において、既設上枠１１の室内側壁部１１ａと上取付補助材３１の室内側固定部３１ｂを固定する固定手段ｂにより共締め固定されている。
【００２０】
防水シート８１及び上遮炎板９１を覆うように樹脂製の上内部カバー７１が配置されている。
樹脂製の上内部カバー７１は、見込み方向に延びる固定部７１ａと、固定部７１ａの室外側端から見付方向（下方）に延設されるとともに下端が室外側に屈曲して室外方向に延設されてなるカバー部７１ｂと、カバー部７１ｂの見込方向に延びる部位の上面から上方に突設された脚部７１ｃと、を有している。
そして、上内部カバー７１は、脚部７１ｃを新設上枠２１の挿入部２１ａに挿入して、固定部７１ａを躯体開口部の内周面に当接させた状態で、固定部７１ａをビス等の固定手段ｂにより固定することで躯体開口部に取り付けられている。
【００２１】
（下枠部分の構成）
既設下枠１２に固定される下取付補助材３２は、室内側取付補助材３２１と室外側取付補助材３２２の二つの部材からなる。
室内側取付補助材３２１は、アルミニウム合金等の金属材料からなり、新設下枠２２の室内側の荷重を支持する支持部３２１ａと、支持部３２１ａの室内側に連続する取付壁３２１ｂを有し、取付壁３２１ｂが既設下枠１２の室内側の壁面にビス等の固定手段ｂにより固定されている。また、室内側取付補助材３２１の支持部３２１ａは、既設下枠１２の室内側下レールに固定された荷重支持部材３２３にスペーサー６２を介して支持されている。
【００２２】
室外側取付補助材３２２は、新設下枠２２の室外側の荷重を支持する支持部３２２ａ及び新設下枠２２の室外側端部の浮き上がりを防止する浮き上がり防止部３２２ｂを有し、支持部３２２ａがスペーサー６３を介して既設下枠１２に載置された状態で見付け方向の複数位置において、既設下枠１２の前壁部にビス等の固定手段ｂにより固定されている。
【００２３】
新設下枠２２は、既設下枠１２よりも見込寸法が大きく形成されており、室内側見込壁を構成する室内側底壁部２２ａと、室外側見込壁を構成する室外側底壁部２２ｂと、室内側底壁部２２ａの室内側から立ち上がる室内側壁部２２ｃと、室内側壁部２２ｃの上端よりもやや下方位置の室内側面から室内側に延設される室内側上壁部２２ｄと、室内側底壁部２２ａと室外側底壁部２２ｂとを連続する立壁部２２ｅと、室外側底壁部２２ｂの室外側端から下方に向かって延設される前壁部２２ｆと、前壁部２２ｆの下端から室内側に屈曲して延設される浮き上がり防止片２２ｇと、室内側底壁部２２ａの室外側上面に立設される室内下レール２２ｈと、室外側底壁部２２ｂの上面に立設される室外下レール２２ｉと、室内側底壁部２２ａの室外側に延設される気密材保持片２２ｊを有している。
【００２４】
また、新設下枠２２は、室内側壁部２２ｃの室内側上壁部２２ｄよりも上方部位に後述する下内部カバー７２の室外側を係合する被係合部２２ｋが形成されており、室内側上壁部２２ｄの上面には、下内部カバー７２のカバー部７２ｂを支持するリブが長手方向に沿って形成されている。
【００２５】
そして、新設下枠２２は、室内側底壁部２２ａの下面の内外２か所に形成された脚部を室内側取付補助材３２１の支持部３２１ａに載置した状態で、ビス等の固定手段ｂにより室内側取付補助材３２１に固定され、既設下枠１２に装着されている。
このとき、新設下枠２２の室外側は、必要に応じて室外側取付補助材３２２の支持部３２２ａの上面に支持されており、新設下枠２２の浮き上がり防止片２２ｇが室外側取付補助材３２２の浮き上がり防止部３２２ｂの下方に位置している。
【００２６】
新設下枠２２の室内側壁部２２ｃの室内側面には、加熱により発泡する加熱発泡材ｆ２が配置されている。  
また、新設下枠２２の室内側壁部２２ｃの室外側面、及び、立壁部２２ｅの室外側面には、それぞれホルダーによって加熱により発泡する加熱発泡材ｆが配置されている。
【００２７】
新設下枠２２の室内側上壁部２２ｄの上面から躯体開口部にかけて、防水シート８２が配置されていると共に、室内側上壁部２２ｄの上面から躯体開口部にかけて、金属製の下遮炎板９２が配置されている。
【００２８】
下遮炎板９２は、図７（ａ）に示すように、見込み方向に延びる当接部９２ａと、当接部９２ａの室外側から見付け方向（上方）に延びる遮炎部９２ｂと、遮炎部９２ｂの上端から室外側に延びる開き防止部９２ｃを有する断面略カギ状の金属製の長尺部材からなる。
【００２９】
そして、下遮炎板９２は、当接部９２ａを躯体開口部の内周面に当接させるとともに遮炎部９２ｂを室内側上壁部２２ｄの室内側端部に当接させることで、新設下枠２２と既設下枠１２との間、もしくは新設下枠２２と躯体開口部との間の間隙を閉塞するように配置されている。
さらに、下遮炎板９２は、遮炎部９２ｂの上端に室外方向に延設した開き防止部９２ｃが、新設下枠２２の室内側上壁部２２ｄの上面に当接されており、当接部９２ａにおいて、躯体開口部に対してネジ等の固定手段ｂにより固定されている。
【００３０】
下遮炎板９２を覆うように樹脂製の下内部カバー７２が配置されている。
樹脂製の下内部カバー７２は、新設下枠２２の室内側上壁部２２ｄの上面から室内側に延びてその後下方に屈曲して延設されるカバー部７２ｂと、カバー部７２ｂの室外側端部の下面に形成された係合凸部７２ｃと、カバー部７２ａの下面から下方に延設された係合爪７２ｅ，７２ｅと、を有する長尺部材からなる。
【００３１】
そして、下内部カバー７２は、室外側に形成された係合凸部７２ｃを新設下枠２２の室内側壁部２２ｃに形成された被係合部２２ｋに係合した状態で、係合爪７２ｅ，７２ｅを下遮炎板９２に係合することで、躯体開口部に固定されている。
【００３２】
（竪枠部分の構成）
既設竪枠１３に固定される竪取付補助材３３は、見込寸法が既設竪枠１３の見込寸法とほぼ同程度の見込寸法を有し、図５に示すように、見付寸法が新設竪枠２３の長手方向の長さとほぼ同じ長さ寸法の長尺部材からなる。竪取付補助材３３は、新設竪枠２３を装着する際の基準となる見込壁部３３ａと、見込壁部３３ａの室内外両端付近より外周方向に延設される室内側固定部３３ｂ及び室外側固定部３３ｃを有している。
【００３３】
そして、竪取付補助材３３は、室内側固定部３３ｂ及び室外側固定部３３ｃが既設竪枠１３の室内側壁部１３ａの室外側と室外側壁部１３ｂの室内側との間に挿入されることで、見込壁部３３ａが内周に向く垂直面となるように配置され、室内側固定部３３ｂが室内側壁部１３ａにビス等の固定手段ｂにより固定され、室外側固定部３３ｃが室外側壁部１３ｂにビス等の固定手段ｂにより固定されている。
【００３４】
新設竪枠２３は、既設竪枠１３よりも見込寸法が大きく形成されており、見込み方向室内側外周面に加熱により発泡する加熱発泡材ｆ３が配置されるとともに、見込み方向の略中央付近において、スペーサー６４を介してビス等の固定手段ｂにより竪取付補助材３３の見込壁部３３ａに固定されている。新設竪枠２３の室内側内周面には、後述する竪内部カバー７３を取り付けるための挿入部２３ａを有している。
【００３５】
新設竪枠２３は、室外側外周に気密材ｓを有しており、竪取付補助材３３を介して既設竪枠１３に固定された新設竪枠２３の気密材ｓが既設竪枠１３の室外側内周に当接して、既設竪枠１３と新設竪枠２３との室外側における気密を行っている。
【００３６】
新設竪枠２３の室内側から既設竪枠１３の室内側を覆うように、防水シート８３が設けられており、防水シート８３の室内側には、金属製の竪遮炎板９３が配置されている。
【００３７】
竪遮炎板９３は、図８（ａ）に示すように、見込み方向に延びる当接部９３ａと、当接部９３ａの室外側端部から見付け方向（内周方向）に延びる遮炎部９３ｂと、遮炎部９３ｂの内周端から室外方向に延設される開き防止部９３ｃと、を有する断面略カギ状の金属製の長尺部材からなる。
【００３８】
そして、竪遮炎板９３は、当接部９３ａを躯体開口部の内周面に当接させるとともに遮炎部９３ｂを新設竪枠２３の室内側面と既設竪枠１３の室内側面に当接させることで、新設竪枠２３と既設竪枠１３との間の間隙を閉塞するように配置されている。
【００３９】
さらに、竪遮炎板９３は、遮炎部９３ｂの内周端から室外方向に延設された開き防止部９３ｃが、新設竪枠２３の室内側面に続く内周面に当接されており、遮炎部９３ｂの外周側部位において、既設竪枠１３の室内側壁部１３ａと竪取付補助材３３の室内側固定部３３ｂを固定する固定手段ｂにより共締め固定されている。
【００４０】
防水シート８３及び竪遮炎板９３を覆うように樹脂製の竪内部カバー７３が配置されている。
樹脂製の竪内部カバー７３は、見込み方向に延びる固定部７３ａと、固定部７３ａの室外側端から見付方向（内周方向）に延設されるとともに内周端が室外側に屈曲して室外方向に延設されてなるカバー部７３ｂと、カバー部７３ｂの見込方向に延びる部位の外周面から外周方向に突設された脚部７３ｃと、を有している。
【００４１】
そして、竪内部カバー７３は、脚部７３ｃを新設竪枠２３の挿入部２３ａに挿入して、固定部７３ａを躯体開口部の内周面に当接させた状態で、固定部７３ａをビス等の固定手段ｂにより固定することで躯体開口部に取り付けられている。
なお、竪遮炎板９３は、例えば図２（ｂ）に示すように、新設竪枠２３と既設竪枠１３との間の間隙を閉塞するように配置されるものであれば、アルミ形材からなる長尺部材によって形成されてもよい。
【００４２】
以上の第１の実施形態の遮炎板によれば、躯体開口部の内周面に対向する当接部を備えているので、遮炎板を取り付ける際に当接部を躯体内周面にあてて既設枠の方向に滑らせることで、見込み方向及び見付け方法の位置決めを簡単に行うことができる。
また、本実施形態の遮炎板によれば、見付け方向に延びる遮炎部と見込み方向に延びる当接部とのどちらの部分においてもネジ止め固定ができ、異なる２方向からの固定が可能であるので、施工性が良好であるとともに、見付方向に延びる遮炎部を既設枠に固定することによって、老朽化した既設枠を補強することができる。
【００４３】
−第２の実施形態―
次に、本発明の第２の実施形態の改修建具について、図３，図４を参考にして説明する。なお、第２の実施形態の改修建具は、内部カバーがアルミニウム合金等の金属により形成されている点で、第１の実施形態の改修建具と異なっている。以下の説明においては、主に、第１の実施形態と異なる点について説明し、同様の構成については説明を省略する。
【００４４】
（上枠部分の構成）
本実施形態の改修建具においては、図３に示すように、新設上枠２１の室内側から既設上枠１１の室内側を覆うように防水シート８１が設けられるとともに、防水シート８１を覆うようにアルミニウム合金等の金属製の上内部カバー（上遮炎板）７１が配置されている。
【００４５】
金属製の上内部カバー７１は、見込み方向に延びる固定部（当接部）７１ａと、固定部７１ａの室外側端から見付方向（下方）に延設されるとともに下端が室外側に屈曲して見込方向（室外方向）に延設されてなるカバー部（遮炎部）７１ｂと、カバー部７１ｂの見込方向に延びる部位の上面から上方に突設された脚部（開き防止部）７１ｃと、を有している。
【００４６】
そして、上内部カバー７１は、固定部（当接部）７１ａを躯体開口部の内周面に当接させるとともに、カバー部（遮炎部）７１ｂの見込方向に延びる部位の室外側端を新設上枠２１の室内側面に当接させることで、新設上枠２１と既設上枠１１との間の間隙を閉塞するように配置されている。
さらに、上内部カバー７１は、カバー部７１ｂの見込方向に延びる部位に延設した脚部（開き防止部）７１ｃが新設上枠２１の挿入部２１ａに挿入された状態で、固定部（当接部）７１ａにおいて、ビス等の固定手段ｂにより躯体開口部に固定されている。
【００４７】
（下枠部分の構成）
本実施形態の改修建具においては、図３に示すように、新設下枠２２の室内側上壁部２２ｄの上面から躯体開口部にかけて、防水シート８２が配置されていると共に、室内側上壁部２２ｄの上面から躯体開口部にかけて、防水シート８２を覆うように金属製の下内部カバー（下遮炎板）７２が配置されている。
【００４８】
金属製の下内部カバー７２は、新設下枠２２の室内側上壁部２２ｄの上面から室内側に延びてその後下方に屈曲して形成されるカバー部（遮炎部）７２ｂと、カバー部７２ｂの室外側端部の下面に形成された係合凸部（開き防止部）７２ｃと、カバー部７２ｂの下面から下方に延設された複数のリブ状部（当接部）７２ｄ，７２ｄと、を有する長尺部材からなる。
【００４９】
そして、下内部カバー７２は、カバー部７２ｂの室外側端を新設下枠２２の室内側壁部２２ｃに当接させ係合凸部７２ｃを新設下枠２２の被係合部２２ｋに係合させるとともに、カバー部７２ｂの下面を室内側上壁部２２ｄの上面に形成されたリブによって支持し、カバー部７２ｂの室内側下端部（当接部）７２ａもしくはリブ状部（当接部）７２ｄ，７２ｄの少なくともいずれかを躯体開口部の内周面に当接させることによって、新設下枠２２と既設下枠１２との間もしくは新設下枠２２と躯体開口部との間の間隙を閉塞するように配置され、躯体開口部に対してネジ等の固定手段ｂにより固定されている。
【００５０】
（竪枠部分の構成）
本実施形態の改修建具においては、図４に示すように、新設竪枠２３の室内側及び既設竪枠１３の室内側を覆うように防水シート８３が設けられており、防水シート８３を覆うようにアルミニウム合金等の金属製の竪内部カバー７３が配置されている。
【００５１】
金属製の竪内部カバー７３は、見込み方向に延びる固定部（当接部）７３ａと、固定部７３ａの室外側端から見付方向（内周方向）に延設されるとともに内周端が室外側に屈曲して見込方向（室外方向）に延設されて形成されるカバー部（遮炎部）７３ｂと、カバー部７３ｂの見込方向に延びる部位の外周面から外周方向に突設された脚部（開き防止部）７３ｃと、を有している。
そして、竪内部カバー７３は、固定部（当接部）７３ａを躯体開口部の内周面に当接させるとともに、カバー部（遮炎部）７３ｂの見込方向に延びる部位の室外側端を新設竪枠２３の室内側面に当接させることで、新設竪枠２３と既設竪枠１３との間の間隙を閉塞するように配置されている。
さらに、竪内部カバー７３は、カバー部７３ｂの見込方向に延びる部位に延設した脚部（開き防止部）７３ｃが新設竪枠２３の挿入部２３ａに挿入された状態で、固定部（当接部）７３ａにおいて、ビス等の固定手段ｂにより躯体開口部に固定されている。
【００５２】
以上の第２の実施形態の遮炎板（内部カバー）によれば、躯体開口部の内周面に対向する当接部を備えているので、遮炎板を取り付ける際に当接部を躯体内周面にあてることで、位置決めを容易に行うことができる。
また、遮炎板には、遮炎部の見込み方向への移動を防止する開き防止部を備えているので、火災時に遮炎板の反り等の変形を抑えることができ、新設枠と遮炎板との間に隙間が生じるのを抑制することができる。
【００５３】
次に、本実施形態の改修建具における防火構造について、さらに詳細に説明する。
本実施形態の改修建具の新設上枠２１は、図６（ａ），図９（ａ）に示すように、見込み方向の室内側端部位置において、外周面に長手方向全長にわたってホルダー２１ｂが形成されており、ホルダー２１ｂには、加熱発泡材ｆ１が保持されている。
【００５４】
ホルダー２１ｂに保持された加熱発泡材ｆ１は、図５に示すように、新設上枠２１の長手方向全長と同程度の寸法を有し、既設上枠１１に固定された上取付補助材３１の見込壁部３１ａに対して、スペーサー６１をはさんでほぼ全長にわたって対向している。
【００５５】
したがって、火災時には、図６（ｂ），図９（ｂ）に示すように、新設上枠２１の室内側上面に配置された加熱発泡材ｆ１が発泡し、新設上枠２１と上取付補助材３１の見込壁部３１ａとの間で長手方向全長に亘って均一に充満するので、上枠部における室内外の連通を確実に防止することができる。
【００５６】
この時、図６に示す第１の実施形態においては、上遮炎板９１の遮炎部９１ｂが発泡した加熱発泡材ｆ１が新設上枠２１の室内側部と既設上枠１１の室内側部との間から漏れ出すことを防止するので、新設上枠２１の室内側端部位置において加熱発泡材ｆ１を密に充満させることができる。
【００５７】
本実施形態の改修建具の新設下枠２２は、図７（ａ），図１０（ａ）に示すように、室内側壁部２２ｃの室内側面に長手方向全長にわたってホルダー２２ｍが形成されており、ホルダー２２ｍには加熱発泡材ｆ２が保持されている。
【００５８】
ホルダー２２ｍに保持された加熱発泡材ｆ２は、図５に示すように、新設下枠２２の長手方向全長にわたって配置されており、室内側上壁部２２ｄの下方において既設下枠１２の室内側の垂直部位に対向している。
したがって、火災時には、図７（ｂ），図１０（ｂ）に示すように、新設下枠２２の室内側壁部２２ｃの室内側面に配置された加熱発泡材ｆ２が発泡し、新設下枠２２の室内側壁部２２ｃ及び室内側上壁部２２ｄと既設下枠１２とで形成される空間において迅速に充満し、下枠部における室内外の連通を確実に防止することができる。
【００５９】
この時、図７に示す第１の実施形態においては、下遮炎板９２の遮炎部９２ｂが、発泡した加熱発泡材ｆ２が新設下枠２２の室内側上壁部２２ｄと躯体開口部及び既設下枠１２との間から室内側に漏れ出すことを防止して、新設下枠２２の室内側端部位置において加熱発泡材ｆ２を密に充満させることができる。
【００６０】
本実施形態の改修建具の新設竪枠２３は、図８（ａ），図１１（ａ）に示すように、見込み方向の室内側端部位置において、外周面に長手方向全長にわたってホルダー２３ｂが形成されており、ホルダー２３ｂには加熱発泡材ｆ３が保持されている。
【００６１】
ホルダー２３ｂに保持された加熱発泡材ｆ３は、図５に示すように、新設竪枠２３の長手方向全長にわたって配置されており、既設竪枠１３に固定された竪取付補助材３３の見込壁部３３ａに対して、スペーサー６４をはさんでほぼ全長にわたって対向している。
【００６２】
したがって、火災時には、図８（ｂ），図１１（ｂ）に示すように、新設竪枠２３の室内側外周面に配置された加熱発泡材ｆ３が発泡し、対向する竪取付補助材３３の見込壁部３３ａと新設竪枠２３との間で長さ方向全長に亘って均一に充満するので、室内外の連通を確実に防止することができる。
【００６３】
この時、図８に示す第１の実施形態においては、竪遮炎板９３の遮炎部９３ｂが既設竪枠１３の室内側と新設竪枠２３の室内側との間から発泡した加熱発泡材ｆ３が室内側に漏れ出すことを防止して、新設竪枠２３の室内側端部位置において加熱発泡材ｆ３を密に充満させることができる。
【００６４】
そして、以上説明した、新設上枠２１の外周面に長手方向全長に亘って配置された加熱発泡材ｆ１と、左右の新設竪枠２３の外周面に長手方向全長に亘って配置された加熱発泡材ｆ３，ｆ３は、見込み方向で同一位置に位置されており、図５に示すように、新設上枠２１と新設竪枠２３とのコーナー部においてほぼ連続している。
【００６５】
また、新設下枠２２の室内側壁部２２ｃの室内側面に長手方向全長に亘って配置された加熱発泡材ｆ２は、新設上枠２１と新設竪枠２３に配置される加熱発泡材ｆ１，ｆ３の室外側端部位置にあわせて配置されているので、各新設枠に配置される加熱発泡材ｆ１，ｆ２，ｆ３が、新設枠２の四周にわたって見込み方向の位置をあわせて連続して配置されている。
なお、ここでいう連続しているとは、加熱発泡材同士が必ずしも当接していなければならないものではなく、近接することなどによって機能上連続した状態にあればよい。
【００６６】
そして、火災時には、各加熱発泡材ｆ１，ｆ２，ｆ３が、それぞれ新設枠２と既設枠１もしくは躯体開口部との間の空間に充満し、図１２，図１３に示すように、新設上枠２１と新設竪枠２３とのコーナー部及び新設下枠２２と新設竪枠２３とのコーナー部において密に連続することで、新設枠２と既設枠１もしくは補助部材３との間に四周に亘る防火ラインを形成する。
【００６７】
以上のように、本実施形態の改修建具によれば、新設枠の見込み方向端部位置の外周に加熱発泡材を四周に連続するように配置して、火災時には、各加熱発泡材がつながって四周にわたって防火ラインを形成するので、改修建具の既設枠と新設枠との間が室内外に連通するのを防止して、高い防火性能を付与することができる。
【００６８】
また、加熱発泡材を、見込み方向の端部位置に配置するとともに、取付補助材もしくは既設枠等の平面部分に対向するように配置することで、加熱発泡材の膨張が偏ることなく安定して、比較的少ない量の加熱発泡材によって新設枠との間隙に確実に充満させることができる。
【００６９】
なお、以上の実施形態は，請求項に記載された発明を限定するものではなく，例示として取り扱われることは言うまでもない。
例えば、新設枠２に配置される加熱発泡材は、ホルダーによって保持するのではなく、接着剤やビス等によって固定してもよい。
また、加熱発泡材が配置される見込み方向端部は、室内側端部に限定されず、室外側端部でもよい。
さらに、改修される既設枠及び新設建具は、引違い建具に限定されるものではなく、開き建具やすべり出し建具等、建具の種類は何ら限定されるものではない。
【符号の説明】
【００７０】
１        ：既設枠
１１      ：既設上枠
１２      ：既設下枠
１３      ：既設竪枠
２        ：新設枠
２１      ：新設上枠
２２      ：新設下枠
２３      ：新設竪枠
３        ：補助部材
３１      ：上取付補助材
３２      ：下取付補助材
３３      ：竪取付補助材
９１      ：上遮炎板
９２      ：下遮炎板
９３      ：竪遮炎板
【図１】
2020045642.tif 000003
【図２】
2020045642.tif 000004
【図３】
2020045642.tif 000005
【図４】
2020045642.tif 000006
【図５】
2020045642.tif 000007
【図６】
2020045642.tif 000008
【図７】
2020045642.tif 000009
【図８】
2020045642.tif 000010
【図９】
2020045642.tif 000011
【図１０】
2020045642.tif 000012
【図１１】
2020045642.tif 000013
【図１２】
2020045642.tif 000014
【図１３】
2020045642.tif 000015